(57)【要約】【課題】箱型家具全体としての壁面に対する取付け強度を確保でき、且つ施工が容易な家具壁面固定治具およびこれによる家具の壁面固定構造を提供する。【解決手段】本発明の家具壁面固定治具では、家具の四周側板を形成する側板１４ａの内面に対面するネジ挿通孔１０を設けた側面片１１と、家具の背面板８の表面に対面するネジ挿通孔１２を設けた背面片１３とからなる断面Ｌ字型連結金具１と、この連結金具１の側面片１１のネジ挿通孔１０を介して家具の側板１４ａに螺着する取付ネジ３と、連結金具１の背面片１３のネジ挿通孔１２を介して家具の背面板８に挿通し、取付け壁面１５に螺着する取付ネジ４と、背面板８の裏面と取付け壁面１５との間に介在し、背面板８を挿通した取付ネジ４の挿通孔１６を形成したネジ受け具２を備えているので、断面Ｌ字型連結金具１により、背面板８と四周側板を形成する側板１４ａを一体的に固着できる。【選択図】        図３
2004147677.tif 000002
【特許請求の範囲】
【請求項１】
四周側板と、該四周側板の内面に形成された溝に嵌入した背面板と、を備えてなる家具の、前記四周側板を形成する側板内面に対面する、ネジ挿通孔を設けた側面片と、前記家具の背面板表面に対面する、ネジ挿通孔を設けた背面片とからなる断面Ｌ字型連結金具と、該連結金具の側面片のネジ挿通孔を介して前記家具の側板に螺着する第１の取付ネジと、前記連結金具の背面片のネジ挿通孔を介して前記家具の背面板に挿通し、前記家具の取付け壁面に螺着する第２の取付ネジと、前記家具の背面板裏面と前記家具の取付け壁面との間に介在し、前記背面板を挿通した第２の取付ネジの挿通孔を形成したネジ受け具と、を備えてなることを特徴とする家具壁面固定治具。
【請求項２】
前記ネジ受け具の挿通孔に、前記第２の取付ネジのネジ部と嵌合する突起部を設けたことを特徴とする請求項１記載の家具壁面固定治具。
【請求項３】
前記ネジ受け具の厚みを、前記家具の四周側板の背面端部と前記背面板裏面との距離と、略同一としたことを特徴とする請求項１または請求項２記載の家具壁面固定治具。
【請求項４】
前記連結金具の背面片のネジ挿通孔の中心から側面片の外側面までの距離よりも、前記ネジ受け具の前記第２の取付ネジの挿通孔の中心からの距離が大なる側面部を有する側面を前記ネジ受け具に設けたことを特徴とする請求項１乃至請求項３のいずれかに記載の家具壁面固定治具。
【請求項５】
四周側板と、該四周側板の内面に形成された溝に嵌入した背面板とを備えてなる家具を、請求項１乃至請求項４のいずれかに記載の家具壁面固定治具で、前記家具の取付け壁面に取付けたことを特徴とする家具壁面固定構造。
【発明の詳細な説明】
【０００１】
【発明の属する技術分野】
本発明は、家具壁面固定治具およびこれを用いた家具壁面固定構造に関するものである。
【０００２】
【従来の技術】
従来、箱型の家具９ａをその取付け壁面１５に取付ける際には、図８に示すように、背面板８の裏面に芯材１８を貼り、図９、図１０に示すように、背面板８の表面から木ネジ１９でこれを、芯材１８と一体的に取付け壁面１５及びその裏面の桟２０に固着するのが一般的であった。
【０００３】
しかしながら、上記した図９、図１０に示す従来の家具９ａの壁面固定構造では、箱型の家具９ａ全体としての取付け壁面１５に対する取付け強度が不足で、例えば、地震の際等において、取付け壁面１５に固着した背面板８のみを取付け壁面１５に残したまま、箱型の家具９ａの四周側板５が、背面板８から外れて、家具９ａ全体が転倒するおそれがあった。また、その取付け時の施工作業自体も必ずしも容易なものではなかった。さらには、背面板８に、その家具９ａ毎の固有の寸法、形状に設計した芯材１８を貼りつける工程が不可欠で、製造工程上の合理化阻害要因となる等の問題があった。なお、図８は、取付け壁面１５に取付けられる従来例に係る箱型の家具９ａを示す斜視図である。図９は、家具９ａを取付け壁面１５に取付けた従来例に係る家具壁面固定構造を示す概略図である。図１０は、図９におけるＢの部分を拡大した断面図である。
【０００４】
一方、箱型の家具をその取付け壁面に固定する方法については、種々の技術が開示されており、例えば、特開平１０−５０６９号公報には、家具をマジックテープ（登録商標）で、壁面に固定する方法が、開示されている。また、上記した図９、図１０に示す従来例に係る家具壁面固定構造と同様に、取付け壁面にビス等で固着するものとしては、特開平８−１１２１４７号公報に壁据付型キャビネットの壁面固定構造が開示されている。しかし、上記の芯材１８を使用する固定方法の問題点を直接的に解決する方策については、未だ、具体的且つ有効なものを見出せないのが現状である。
【０００５】
【特許文献１】
特開平１０−５０６９号公報  （第２頁  ［特許請求の範囲］、第２頁  段落［０００３］〜段落［０００６］）
【特許文献２】
特開平８−１１２１４７号公報  （第２頁  段落［００１５］、第４頁  図１〜図５）
【０００６】
【発明が解決しようとする課題】
本発明は、上記事由に鑑みてなされたもので、その目的とするところは、箱型の家具全体としての取付け壁面に対する充分な取付け強度を確保でき、且つ施工が容易な家具壁面固定治具およびこれを使用する家具の壁面固定構造を提供することにある。
【０００７】
【課題を解決するための手段】
上記課題を解決するために、請求項１に係る発明の家具壁面固定治具にあっては、四周側板と、該四周側板の内面に形成された溝に嵌入した背面板と、を備えてなる家具の、前記四周側板を形成する側板内面に対面する、ネジ挿通孔を設けた側面片と、前記家具の背面板表面に対面する、ネジ挿通孔を設けた背面片とからなる断面Ｌ字型連結金具と、該連結金具の側面片のネジ挿通孔を介して前記家具の側板に螺着する第１の取付ネジと、前記連結金具の背面片のネジ挿通孔を介して前記家具の背面板に挿通し、前記家具の取付け壁面に螺着する第２の取付ネジと、前記家具の背面板裏面と前記家具の取付け壁面との間に介在し、前記背面板を挿通した第２の取付ネジの挿通孔を形成したネジ受け具と、を備えてなることを特徴とするものである。
【０００８】
請求項２に係る発明の家具壁面固定治具にあっては、請求項１記載の家具壁面固定治具において、前記ネジ受け具の挿通孔に、前記第２の取付ネジのネジ部と嵌合する突起部を設けたことを特徴とするものである。
【０００９】
請求項３に係る発明の家具壁面固定治具にあっては、請求項１または請求項２記載の家具壁面固定治具において、前記ネジ受け具の厚みを、前記家具の四周側板の背面端部と前記背面板裏面との距離と、略同一としたことを特徴とするものである。
【００１０】
請求項４に係る発明の家具壁面固定治具にあっては、請求項１乃至請求項３のいずれかに記載の家具壁面固定治具において、前記連結金具の背面片のネジ挿通孔の中心から側面片の外側面までの距離よりも、前記ネジ受け具の前記第２の取付ネジの挿通孔の中心からの距離が大なる側面部を有する側面を前記ネジ受け具に設けたことを特徴とするものである。
【００１１】
請求項５に係る発明の家具壁面固定構造にあっては、四周側板と、該四周側板の内面に形成された溝に嵌入した背面板とを備えてなる家具を、請求項１乃至請求項４のいずれかに記載の家具壁面固定治具で、前記家具の取付け壁面に取付けたことを特徴とするものである。
【００１２】
【発明の実施の形態】
以下、本発明の実施形態を図面に基づき説明する。ここで、図１は、本発明の家具壁面固定治具で取付け壁面１５に取付けられる箱型の家具９を示す斜視図である。図２は、本発明の家具壁面固定治具で家具９を壁面１５に取付けた実施形態を示す概略図である。図３は、図２におけるＡの部分を拡大した断面図である。図４は、図２におけるＡの部分を拡大して模式的に示した図である。図５は、図２におけるＡの部分の背面を拡大して模式的に示した図である。図６は、本実施形態における家具壁面固定治具の構造を模式的に示した断面図である。図７は、本実施形態における家具壁面固定治具のネジ受け具２の構造の概略を示す斜視図である。
【００１３】
本実施形態の家具壁面固定治具は、図１に示すような箱型の家具９を取付け壁面１５に取付けるもので、家具９は、上記した従来例に係る家具９ａと異なり、背面板８の芯材１８を有しないものである。すなわち、本実施形態の家具壁面固定治具は、図２〜図５に示すように、断面Ｌ字型連結金具１と、ネジ受け具２と、第１の取付ネジ３と、第２の取付ネジ４とを具備しており、断面Ｌ字型連結金具１は、四周側板５と、その内面に形成された溝６に嵌入した背面板８とを備えてなる家具９の、四周側板５を形成する側板１４ａ〜ｄの内面に対面する、ネジ挿通孔１０を設けた側面片１１と、家具９の背面板８の表面に対面する、ネジ挿通孔１２を設けた背面片１３とから形成されている。また、第１の取付ネジ３は、上記連結金具１の側面片１１のネジ挿通孔１０を介して家具９の側板１４に螺着するものであり、第２の取付ネジ４は、上記連結金具１の背面片１３のネジ挿通孔１２を介して家具９の背面板８に挿通し、さらに、後述のネジ受け具２の挿通孔１６をも挿通し、家具９の取付け壁面１５に螺着するものである。
【００１４】
一方、ネジ受け具２は、図６に示すように、家具９の背面板８の裏面と取付け壁面１５との間に介在し、背面板８を挿通した上記第２の取付ネジ４の挿通孔１６を形成したものである。この場合において、挿通孔１６に、第２の取付ネジ４のネジ部４ａと嵌合する突起部１７を設けるようにすれば、家具９をさらに強固に固着し得ることとなる。
【００１５】
さらに、図３に示すように、ネジ受け具２の厚み（ｄ１）を、家具９の四周側板５の背面端部７と背面板８の裏面との距離と、略同一とすることにより、前記家具９をさらに確実に固着でき、また、上記従来例における背面板８の芯材１８が不要になることとなる。この結果、背面板８に、芯材１８を貼りつける工程が、不要になることによる合理化のみに留まらず、家具９毎の固有の寸法、形状を有する多品種の芯材１８を設計、製造、保管、管理することが、総て不要になることによる合理化、家具９の取付け時の施工作業自体の省力化による合理化が達成されることとなる。さらには、芯材１８が、不要になることにより、所謂ノックダウン商品等の梱包サイズを小さくできる、或いは、特注品への対応が、容易且つ迅速になる等のさらなる合理化に寄与し得ることとなる。
【００１６】
さらに、本発明の家具壁面固定治具にあっては、図４、図７に示すように、連結金具１の背面片１３のネジ挿通孔１２の中心から側面片１１の外側面１１ａまでの距離（ｄ２）よりも、ネジ受け具２の第２の取付ネジ４の挿通孔１６の中心からの距離（ｄ３）が大なる側面部を有する側面２１をネジ受け具２に設けることにより、ネジ受け具２が、背面板８の裏面側の四周側板５に確実に当接することにより固定され、第２の取付ネジ４のネジ部４ａを回転しながらネジ受け具２の挿通孔１６に挿通する際に、ネジ受け具２の空まわりを防止でき、ひいては、これにより、家具の取付け壁面１５を傷つけることをも防止できることとなる。なお、ネジ受け具２の材質については、特に、限定するものではないが、ＡＢＳ樹脂等の可撓性を有する合成樹脂材料により、好適に形成可能である。
【００１７】
このように、以上のような構成を有する家具壁面固定治具は、特に、断面Ｌ字型連結金具１を具備するため、背面板８と四周側板５を形成する側板１４を一体的に固着できることとなる。この結果、上記した図９、図１０に示す従来の家具の壁面固定構造における箱型の家具９ａ全体としての取付け壁面１５に対する取付け強度の不足の問題は、特に、断面Ｌ字型連結金具１により、背面板８と、四周側板５を形成する側板１４を一体的に固着できることにより、略解消され、上記したような問題点、すなわち、地震の際等において、取付け壁面１５に固着した背面板８のみを取付け壁面１５に残したまま、四周側板５が、背面板８から外れて、家具９全体が転倒する等のおそれは、略解消されることとなる。
【００１８】
また、本発明の家具壁面固定構造にあっては、四周側板５と、その内面に形成された溝６に嵌入した背面板８とを備えてなる家具９を、上記の家具壁面固定治具で、取付け壁面１５に取付けるので、家具９全体としての取付け壁面１５に対する充分な取付け強度を確保でき、且つ、容易に施工できることとなる。
【００１９】
なお、本発明の家具壁面固定治具およびこれを使用する家具壁面固定構造は、上記の実施形態にのみ限定されるものではなく、本発明の要旨を逸脱しない範囲内において種々変更を加え得ることは勿論である。特に、上記実施形態では、四周側板５を形成する側板の内、１４ａ、１４ｃと背面板８とを断面Ｌ字型連結金具１で連結して固定する場合を図２において示したが、本発明の家具壁面固定治具は、側板１４ｂ（すなわち、天板）、１４ｄ（すなわち、地板）にも適用可能であることはいうまでもない。
【００２０】
【発明の効果】
以上のように、請求項１に係る発明の家具壁面固定治具にあっては、四周側板と、該四周側板の内面に形成された溝に嵌入した背面板と、を備えてなる家具の、前記四周側板を形成する側板内面に対面する、ネジ挿通孔を設けた側面片と、前記家具の背面板表面に対面する、ネジ挿通孔を設けた背面片とからなる断面Ｌ字型連結金具と、該連結金具の側面片のネジ挿通孔を介して前記家具の側板に螺着する第１の取付ネジと、前記連結金具の背面片のネジ挿通孔を介して前記家具の背面板に挿通し、前記家具の取付け壁面に螺着する第２の取付ネジと、前記家具の背面板裏面と前記家具の取付け壁面との間に介在し、前記背面板を挿通した第２の取付ネジの挿通孔を形成したネジ受け具と、を備えてなることを特徴とするので、前記断面Ｌ字型連結金具により、背面板と四周側板を形成する側板を一体的に固着できるという優れた効果を奏する。
【００２１】
請求項２に係る発明の家具壁面固定治具にあっては、請求項１記載の家具壁面固定治具において、前記ネジ受け具の挿通孔に、前記第２の取付ネジのネジ部と嵌合する突起部を設けたことを特徴とするので、請求項１記載の家具壁面固定治具の発明の効果に加えて、前記家具をさらに強固に固着できるという優れた効果を奏する。
【００２２】
請求項３に係る発明の家具壁面固定治具にあっては、請求項１または請求項２記載の家具壁面固定治具において、前記ネジ受け具の厚みを、前記家具の四周側板の背面端部と前記背面板裏面との距離と、略同一としたことを特徴とするので、請求項１または請求項２記載の家具壁面固定治具の発明の効果に加えて、前記家具をさらに確実に固着できるという優れた効果を奏する。
【００２３】
請求項４に係る発明の家具壁面固定治具にあっては、請求項１乃至請求項３のいずれかに記載の家具壁面固定治具において、前記連結金具の背面片のネジ挿通孔の中心から側面片の外側面までの距離よりも、前記ネジ受け具の前記第２の取付ネジの挿通孔の中心からの距離が大なる側面部を有する側面を前記ネジ受け具に設けたことを特徴とするので、請求項１乃至請求項３のいずれかに記載の家具壁面固定治具の発明の効果に加えて、ネジ受け具が、背面板裏面側の四周側板に確実に当接することにより固定され、第２の取付ネジのネジ部を回転しながらネジ受け具に挿通する際に、ネジ受け具の空まわりを防止でき、ひいては、これにより、家具の取付け壁面を傷つけることをも防止できるという優れた効果を奏する。
【００２４】
請求項５に係る発明の家具壁面固定構造にあっては、四周側板と、該四周側板の内面に形成された溝に嵌入した背面板とを備えてなる家具を、請求項１乃至請求項４のいずれかに記載の家具壁面固定治具で、前記家具の取付け壁面に取付けたことを特徴とするので、箱型の家具全体としての取付け壁面に対する充分な取付け強度を確保でき、且つ、容易に施工できるという優れた効果を奏する。
【図面の簡単な説明】
【図１】本発明の家具壁面固定治具で取付け壁面に取付けられる箱型の家具を示す斜視図である。
【図２】本発明の家具壁面固定治具で家具を壁面に取付けた実施形態を示す概略図である。
【図３】図２におけるＡの部分を拡大した断面図である。
【図４】図２におけるＡの部分を拡大して模式的に示した図である。
【図５】図２におけるＡの部分の背面を拡大して模式的に示した図である。
【図６】本実施形態における家具壁面固定治具の構造を模式的に示した断面図である。
【図７】本実施形態における家具壁面固定治具のネジ受け具の構造の概略を示す斜視図である。
【図８】取付け壁面に取付けられる従来例に係る箱型の家具を示す斜視図である。
【図９】家具を取付け壁面に取付けた従来例に係る家具壁面固定構造を示す概略図である。
【図１０】図９におけるＢの部分を拡大した断面図である。
【符号の説明】
１          断面Ｌ字型連結金具
２          ネジ受け具
３          第１の取付ネジ
４          第２の取付ネジ
４ａ        ネジ部（第２の取付ネジ４）
５          四周側板
６          溝（四周側板５）
７          背面端部（四周側板５）
８          背面板
９          家具
９ａ        家具（従来例）
１０        ネジ挿通孔
１１        側面片
１１ａ      外側面（側面片１１）
１２        ネジ挿通孔
１３        背面片
１４        側板
１４ａ〜ｄ  側板
１５        取付け壁面
１６        挿通孔（ネジ受け具２）
１７        突起部（挿通孔１６）
１８        芯材（背面板８）
１９        木ネジ
２０        桟
２１        側面（ネジ受け具２）
２２        外壁
【図１】
2004147677.tif 000003
【図２】
2004147677.tif 000004
【図３】
2004147677.tif 000005
【図４】
2004147677.tif 000006
【図５】
2004147677.tif 000007
【図６】
2004147677.tif 000008
【図７】
2004147677.tif 000009
【図８】
2004147677.tif 000010
【図９】
2004147677.tif 000011
【図１０】
2004147677.tif 000012